(57)【要約】【課題】遊技機本体に対する前面扉の開放によって露出する部分への不正に対する抑止力を高めることができる遊技機を提供する。【解決手段】パチンコ機１０は、外枠１１に対して回動可能に支持された本体枠１３と、本体枠１３の前方に配置されその本体枠１３に対して回動可能に支持された前扉枠１４とを備えている。前扉枠１４の回動先端側には、遊技機後方へ突出する金属性の扉側部材１７１が立設されており、その扉側部材１７１の自由端側には扉側孔部１７４が形成されている。本体枠１３の回動先端側には、遊技機後方へ突出する金属性の本体側部材１８３が立設されており、その本体側部材１８３の自由端側には本体側孔部が形成されている。【選択図】      図３
2008220810.tif 000002
【特許請求の範囲】
【請求項１】
各種遊技部品が前面部に設けられた遊技機本体と、
前記遊技機本体の前面側に設けられるとともに、該遊技機本体から遊技機前方への開放が可能とされ、前記遊技機本体に対して閉鎖状態にある場合に前記遊技機本体の前記前面部のうち少なくとも一部を非露出状態とする前面扉と
を備えた遊技機において、
前面扉に、規制部材の取り付けが可能な扉側取付体を設け、
前記前面扉が閉鎖状態にあり、かつ前記遊技機本体の背面側にて前記規制部材が前記扉側取付体に取り付けられた場合に、前記前面扉の前記遊技機本体に対する開放が規制される構成としたことを特徴とする遊技機。
【請求項２】
各種遊技部品が前面部に設けられた遊技機本体と、
前記遊技機本体の前面側に設けられるとともに、該遊技機本体から遊技機前方への開放が可能とされ、前記遊技機本体に対して閉鎖状態にある場合に前記遊技機本体の前記前面部のうち少なくとも一部を非露出状態とする前面扉と
を備えた遊技機において、
前面扉に扉側部材を設け、
前記扉側部材には、前記前面扉が閉鎖状態にある場合に前記扉側部材を位置保持させる規制部材を取り付ける取付部が設けられていることをことを特徴とする遊技機。
【発明の詳細な説明】
【技術分野】
【０００１】
本発明は、遊技機に関するものである。
【背景技術】
【０００２】
遊技機の一種であるパチンコ機には、遊技盤が設けられる遊技機本体と、その遊技機本体の前面側に配置される前面扉とが備えられている。遊技盤の前面側には遊技領域が形成されており、遊技領域には入賞口、入賞装置等の各種遊技機器が設けられている。そして、遊技者により遊技球発射ハンドルが操作されると遊技球が遊技領域に向けて発射される。発射された遊技球が入賞口や入賞装置などに入賞すると、それに伴い所定個数の遊技球が払い出される（例えば、特許文献１参照）。
【０００３】
前面扉は遊技機本体に対して開閉可能に取り付けられており、前面扉が対して閉鎖状態にある場合は遊技盤が前面扉により覆われている。前面扉にはガラス等の透明板が遊技盤前面を覆うようにして配設されており、前面扉が閉鎖状態にある場合でもパチンコ機の前方から遊技領域が視認可能となっている。遊技領域は、前面扉が開放されると遊技機前方に露出するようになっており、ホール管理者等により前面扉が正規に開放状態とされた場合に遊技領域に対するメンテナンスなどが行われることとなる。
【特許文献１】特開２００６−１２２７１０号公報
【発明の開示】
【発明が解決しようとする課題】
【０００４】
しかしながら、不正行為者により前面扉が遊技機本体に対して不正に開放状態とされた場合、不正行為者に対して不正に利益が付与されるおそれがある。例えば、遊技領域において、入賞装置が手で強制的に開放状態とされてその入賞装置や入賞口に遊技球が手で直接入賞されると、遊技球が不正行為者に対して不正に払い出されてしまう。
【０００５】
なお、不正行為者による不正行為は、遊技領域のみを対象とするものではなく、遊技機本体に対する前面扉の開放によって露出する部分も対象とするものであると考えられる。また、前記不正行為は、パチンコ機に対してのみ行われるものではなく、遊技機本体の前面側に開閉可能に取り付けられた前面扉を有するその他の遊技機に対しても行われるものであると考えられる。
【０００６】
本発明は、上記事情に鑑みてなされたものであり、遊技機本体に対する前面扉の開放によって露出する部分への不正に対する抑止力を高めることができる遊技機を提供することを目的とするものである。
【課題を解決するための手段】
【０００７】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００８】
手段１．各種遊技部品が前面部に設けられた遊技機本体（本体枠１３）と、
前記遊技機本体の前面側に設けられるとともに、該遊技機本体から遊技機前方への開放が可能とされ、前記遊技機本体に対して閉鎖状態にある場合に前記遊技機本体の前記前面部のうち少なくとも一部を非露出状態とする前面扉（前扉枠１４）と
を備えた遊技機において、
前面扉に扉側部材（扉側部材１７１）を設け、
前記扉側部材には、前記前面扉が閉鎖状態にある場合に前記扉側部材を位置保持させる規制部材（鍵部材１９１）を取り付ける取付部（扉側孔部１７４）が設けられていることをことを特徴とする遊技機。
【０００９】
手段１によれば、遊技機本体の前面部のうち少なくとも一部は、前面扉が遊技機本体に対して閉鎖状態にある場合に非露出状態となっている。扉側部材の取付部には規制部材の取り付けが可能となっており、その規制部材により扉側部材が位置保持される。このため、前面扉を開放させるには規制部材による扉側部材の位置保持を解除する必要があり、例えば不正行為者が前面扉を開放させようとしても、それが困難なものとなっている。故に、遊技機本体に対する前面扉の開放によって露出する部分への不正に対する抑止力を高めることができる。
【００１０】
また、前面扉において、その遊技機本体側に何らかの不正対象物が存在したり前面扉の遊技機本体側が不正対象となり得たりするのであれば、それらに対する不正抑止効果を得ることができる。
【００１１】
手段２．前記扉側部材を前面扉の背面部に設けたことを特徴とする遊技機。
【００１２】
手段２によれば、扉側部材を前面扉の背面部に設けたため、前面扉が閉鎖状態にあるにも関わらず規制部材による扉側部材の位置保持が遊技機前方から強引に解除されるといった不都合の発生を抑制することができる。これは、遊技機前方からでは規制部材や扉側部材を強引に取り外したり切断したりすること自体が困難なものとなっているためである。
【００１３】
手段３．手段１又は２において、前記遊技機本体には、前記扉側部材が通される通路部（貫通孔１８１）が形成されていることを特徴とする遊技機。
【００１４】
手段３によれば、遊技機本体に通路部が形成されているため、前面扉に設けた扉側部材を遊技機本体の背面側に露出させることが可能となり、遊技機本体の背面側にて扉側部材に規制部材を取り付けることが可能となる。この場合、規制部材による扉側部材の位置保持を解除させるには、その旨の作業を遊技機本体の背面側にて行う必要があるため、遊技機本体に対する前面扉の開放によって露出する部分への不正に対する抑止力をより一層高めることができる。
【００１５】
手段４．各種遊技部品が前面部に設けられた遊技機本体（本体枠１３）と、
前記遊技機本体の前面側に設けられるとともに、該遊技機本体から遊技機前方への開放が可能とされ、前記遊技機本体に対して閉鎖状態にある場合に前記遊技機本体の前記前面部のうち少なくとも一部を非露出状態とする前面扉（前扉枠１４）と
を備えた遊技機において、
前面扉に、規制部材（鍵部材１９１）の取り付けが可能な扉側取付体（扉側部材１７１）を設け、
前記前面扉が閉鎖状態にあり、かつ前記遊技機本体の背面側にて前記規制部材が前記扉側取付体に取り付けられた場合に、前記前面扉の前記遊技機本体に対する開放が規制される構成としたことを特徴とする遊技機。
【００１６】
手段４によれば、遊技機本体の前面部のうち少なくとも一部は、前面扉が遊技機本体に対して閉鎖状態にある場合に非露出状態となっている。また、前面扉が閉鎖状態にありかつ規制部材が扉側取付体に取り付けられた場合に、前面扉の遊技機本体に対する開放が規制される構成とした。このため、前面扉を開放させるには扉側取付体から規制部材を取り外す必要がある。したがって、例えば不正行為者が前面扉を開放させようとしても、それが困難なものとなっている。さらに、規制部材は遊技機本体の背面側にて扉側取付体に取り付けられているため、遊技機前方から規制部材を扉側取付体から取り外す作業を行うこと自体が困難なものとなっている。故に、遊技機本体に対する前面扉の開放によって露出する部分への不正に対する抑止力を高めることができる。
【００１７】
また、前面扉において、その遊技機本体側に何らかの不正対象物が存在したり前面扉の遊技機本体側が不正対象となり得たりするのであれば、それらに対する不正抑止効果を得ることができる。
【００１８】
手段５．手段４において、前記扉側取付体を前面扉の背面部に設けたことを特徴とする遊技機。
【００１９】
手段５によれば、扉側取付体を前面扉の背面部に設けたため、前面扉が閉鎖状態にあるにも関わらず、扉側取付体に取り付けられた規制部材が遊技機前方から強引に取り外されるといった不都合の発生を抑制することができる。また、同様に、扉側取付体が切断されたり前面扉から扉側取付体が強引に取り外されたりするといった不都合の発生を抑制することができる。
【００２０】
手段６．手段４又は５において、前記前面扉は一方の端部が開放基端側とされるとともに他方の端部が開放先端側とされており、
前記扉側取付体は、前面扉の開放先端側に設けられていることを特徴とする遊技機。
【００２１】
手段６によれば、扉側取付体が前面扉の開放先端側に設けられているため、開放先端側にて前面扉の開放を規制することができる。これにより、開放方向に向かう外力が前面扉に加えられた場合に、開放基端側にて前面扉の開放を規制する構成と比して、より大きな外力に抗して前面扉の開放を規制することが可能となる。すなわち、より確実に前面扉の開放を規制することが可能となる。
【００２２】
手段７．手段６において、前記前面扉は前記遊技機本体に対する閉鎖状態にて施解錠する扉施錠装置（鉤金具６３等）を備えるとともに、その扉施錠装置は前記前面扉の開放先端側に沿って配設されており、
前記扉側取付体は、前記扉施錠装置に固定されていることを特徴とする遊技機。
【００２３】
手段７によれば、前面扉の開放先端に沿って扉施錠装置が配設されており、その扉施錠装置に扉側取付体が固定されている。また、扉施錠装置は前面扉の開放先端側に沿って配設されているため、扉側取付体を前面扉に対して強固に固定することが可能となる。さらに、扉施錠装置を前面扉に強固に固定することが扉側取付体をより強固に前面扉に固定することとなるため、不正行為者により前面扉を強引に開放されるといった不都合の発生をより確実に抑制することができる。
【００２４】
手段８．手段４乃至７のいずれかにおいて、前記扉側取付体は、前記前面扉の角隅部位に配設されていることを特徴とする遊技機。
【００２５】
手段８によれば、扉側取付体は前面扉の角隅部位に配設されている。遊技機本体及び前扉枠には、限られた領域内にて各種機器が配置されている。このため、扉側取付体を前面扉の角隅部位に配設することで他の機器に干渉することなく扉側取付体を前面扉に配設したり、扉側取付体に規制部材を取り付けたりすることが可能となる。
【００２６】
手段９．手段８において、前記扉側取付体は、遊技機後方へ突出するとともに板面を左右に向けた板状に形成されていることを特徴とする遊技機。
【００２７】
手段９によれば、扉側取付体は、遊技機後方へ突出するとともに板面を左右に向けた板状になっている。遊技機では内部の領域が限られており、特に左右方向における各種機器の配置が制限されている。したがって、扉側取付体の左右方向の幅を小さくすることで他の機器に干渉することなく扉側取付体を配置することが可能となる。ここで、扉側取付体を左右方向の幅に加えて上下方向の幅も小さい構成とすると、扉側取付体の強度確保が困難なものとなるおそれがある。これに対し、本構成では扉側取付体を板面が左右に向いた板状としたため、扉側取付体の強度を確保しつつ、扉側取付体を無理なく配置することが可能となる。
【００２８】
手段１０．手段４乃至９のいずれかにおいて、前記遊技機本体には、前記扉側取付体が通される取付体通路部（貫通孔１８１）が形成されていることを特徴とする遊技機。
【００２９】
手段１０によれば、遊技機本体に取付体通路部が形成されているため、前面扉に設けた扉側取付体を遊技機本体の背面側に露出させることが可能となる。これにより、露出した扉側取付体に規制部材を取り付けることが容易なものとなる。
【００３０】
手段１１．手段１０において、前記取付体通路部は前記遊技機本体を前後に貫通する貫通孔であることを特徴とする遊技機。
【００３１】
手段１１によれば、取付体通路部は、遊技機本体を前後に貫通する貫通孔により形成されている。このため、扉側取付体を遊技機本体に沿って迂回するような形状とする必要がなくなるため、遊技機外部から扉側取付体が強引に切断されたり取り外されたりするといった不都合を抑制することが可能となる。また、遊技機本体に貫通孔を形成するだけで取付体通路部を形成することができるため、取付体通路部の製造を容易なものとすることができる。
【００３２】
手段１２．手段４乃至１１のいずれかにおいて、前記遊技機本体に設けられ、前記前面扉の前記遊技機本体に対する閉鎖状態において扉側取付体と当接又は近接し、かつ規制部材が、扉側取付体とともに取り付けられる本体側取付体（本体側部材１８３）を備えたことを特徴とする遊技機。
【００３３】
手段１２では、本体側取付体は、前面扉の遊技機本体に対する閉鎖状態において扉側取付体と当接又は近接する。そして、扉側取付体とともに本体側取付体に規制部材が取り付けられることにより、遊技機本体に対する前面扉の開放が規制される。
【００３４】
手段１３．手段１２において、前記扉側取付体及び本体側取付体には、前記遊技機本体に対して前面扉が閉鎖状態にある場合に両取付体を同一軸線上において貫通する貫通孔が形成されており、各貫通孔に規制部材の備える棒材が挿入されて両取付体の前後方向への相対移動が規制されるものであることを特徴とする遊技機。
【００３５】
手段１３によれば、両取付体に同一軸線上に配置される貫通孔を形成することにより、例えば閂状の棒材を挿入しやすくなる。したがって、棒材を含む規制部材にて簡単に両取付体の前後方向への相対移動を規制することができ、その結果、遊技機本体に対する前面扉の開放規制を容易に実現することができる。
【００３６】
手段１４．手段１２又は１３のいずれかにおいて、前記遊技機本体を、取付対象（島設備）から遊技機前方への開放が可能とされ、前記取付対象に対して閉鎖状態にある場合に背面部が遊技機前方からの非露出状態となる構成とし、
前記本体側取付体を遊技機本体の背面部に設けたことを特徴とする遊技機。
【００３７】
手段１４によれば、本体側取付体を遊技機本体の背面部に設けたため、遊技機本体が取付対象に対して閉鎖状態にあるにも関わらず、本体側取付体に取り付けられた規制部材が遊技機前方から強引に取り外されるといった不都合の発生を抑制することができる。また、同様に、本体側取付体が切断されたり遊技機本体から本体側取付体が強引に取り外されたりするといった不都合の発生を抑制することができる。
【００３８】
手段１５．手段１４において、前記遊技機本体は前記取付対象に対する閉鎖状態にて施解錠する本体施錠装置（鉤金具５７等）を備えるとともに、その本体施錠装置は前記遊技機本体の開放先端側に沿って配設されており、
前記本体側取付体は、前記本体施錠装置に固定されていることを特徴とする遊技機。
【００３９】
手段１５によれば、遊技機本体の開放先端に沿って本体施錠装置が配設されており、その本体施錠装置に本体側取付体が固定されている。また、本体施錠装置は遊技機本体の開放先端側に沿って配設されているため、本体側取付体を遊技機本体に対して強固に固定することが可能となる。さらに、本体施錠装置を遊技機本体に強固に固定することが本体側取付体をより強固に前面扉に固定することとなるため、不正行為者により遊技機本体を強引に開放されるといった不都合の発生をより確実に抑制することができる。
【００４０】
手段１６．手段１２乃至１５のいずれかにおいて、前記本体側取付体は、前記遊技機本体の角隅部位に配設されていることを特徴とする遊技機。
【００４１】
手段１６によれば、本体側取付体は遊技機本体の角隅部位に配設されている。遊技機本体及び前扉枠には、限られた領域内にて各種機器が配置されている。このため、本体側取付体を遊技機本体の角隅部位に配設することで他の機器に干渉することなく本体側取付体を遊技機本体に配設したり、本体側取付体に規制部材を取り付けたりすることが可能となる。
【００４２】
手段１７．手段１６において、前記本体側取付体は、遊技機後方へ突出するとともに板面を左右に向けた板状に形成されていることを特徴とする遊技機。
【００４３】
手段１７によれば、本体側取付体は、遊技機後方へ突出するとともに板面を左右に向けた板状になっている。遊技機では内部の領域が限られており、遊技機本体の背面部においても各種機器が多数配置されている。ここで、本構成では、本体側取付体が遊技機本体から遊技機後方へ突出しているため、規制部材を遊技機本体の背面側から離間した位置にて本体側取付体と当接させることが可能となる。これにより、他の機器に干渉しない位置にて扉側取付体に規制部材を取り付け、その位置にて本体側取付体と規制部材とを当接させることが可能となる。
【００４４】
また、遊技機では、特に左右方向における各種機器の配置が制限されている。したがって、本体側取付体の左右方向の幅を小さくすることで他の機器に干渉することなく本体側取付体を配置することが可能となる。ここで、本体側取付体を左右方向の幅に加えて上下方向の幅も小さい構成とすると、本体側取付体の強度確保が困難なものとなるおそれがある。これに対し、本構成では、本体側取付体を板面が左右に向いた板状としたため、本体側取付体の強度を確保しつつ、本体側取付体を無理なく遊技機本体に配置することが可能となる。
【００４５】
手段１８．手段１２乃至１７のいずれかにおいて、前記前面扉は一方の端部が開放基端側とされるとともに他方の端部が開放先端側とされており、
前記本体側取付体は、前記遊技機本体における前面扉の開放先端側に対応する側に設けられていることを特徴とする遊技機。
【００４６】
手段１８によれば、本体側取付体が、遊技機本体における前面扉の開放先端側に対応する側に設けられているため、開放先端側にて前面扉の開放を規制することができる。これにより、開放方向に向かう外力が前面扉に加えられた場合に、本体側取付体を、遊技機本体における前面扉の開放基端側に対応する側に設けた構成と比して、より大きな外力に抗して前面扉の開放を規制することが可能となる。すなわち、より確実に前面扉の開放を規制することが可能となる。
【００４７】
手段１９．手段１８において、前記本体側取付体は、前記扉側取付体よりも、前記遊技機本体における前面扉の開放基端側に対応する位置に設けられていることを特徴とする遊技機。
【００４８】
手段１９によれば、本体側取付体は、扉側取付体よりも、遊技機本体における前面扉の開放基端側に対応する位置に設けられている。この場合、前面扉の開閉に伴いその前面扉と扉側取付体とが一体に回動するため、扉側取付体が本体側取付体に対して回動先端側を移動することとなる。したがって、遊技機本体に対する前面扉の閉鎖動作に伴い扉側取付体と本体側取付体とを、互いに干渉することなく当接又は近接させることが可能となる。
【００４９】
手段２０．手段４乃至手段１９のいずれかにおいて、前記規制部材は、施錠解除部材（解錠キー）の解除操作によってのみ解錠可能な施錠部材であることを特徴とする遊技機。
【００５０】
手段２０によれば、施錠部材を施錠状態とすることで、前面扉の開放を規制することができる。この場合、施錠部材は、施錠解除部材の解除操作によってのみ解錠可能であり、施錠解除部材を適正に管理すれば、不正行為者により前面扉が不正に開放されるといった不都合の発生を抑制することができる。また、正規に、施錠解除部材により施錠部材を解錠すれば、前面扉を容易に開放させることが可能となる。
【００５１】
手段２１．手段１乃至２０のいずれかにおいて、前記前面扉が閉鎖状態にある場合に非露出状態となりかつ遊技機前方から視認可能な状態で前記遊技機本体の前面部に設けられ、遊技球が流下する遊技領域（遊技盤８１）と、
前記遊技領域を流下する遊技球が入球可能な入球部（一般入賞口８２、可変入賞装置８３、作動口８４）と
を備え、
前記入球部に遊技球が入球した場合に遊技者に特典が付与される構成としたことを特徴とする遊技機。
【００５２】
手段２１によれば、前面扉が閉鎖状態にある場合に遊技領域が前面扉により非露出状態となる構成としたため、扉側取付体に規制部材を取り付けることで、遊技領域に対する不正の発生を抑制することができる。例えば、前面扉を開放させて遊技領域を露出させ、その遊技領域の入球部に遊技球を不正に入賞させようとしても、それが困難なものとなっている。すなわち、いわゆるパチンコ機に対して上記手段１乃至２０のいずれかの効果を享受することができる。
【００５３】
手段２２．手段１乃至手段２０のいずれかにおいて、遊技機前方から視認可能な位置に設けられ、複数種の絵柄が変動表示される複数の絵柄表示領域と、各絵柄表示領域における絵柄の変動表示を開始させるべく操作される始動操作手段と、該各絵柄表示領域における絵柄の変動表示を停止させるべく操作される複数の停止操作手段とを備え、
遊技メダルの受入完了状態で前記始動操作手段が操作された場合に各絵柄表示領域における絵柄の変動表示を開始させ、絵柄の変動表示の停止後に、各絵柄表示領域に表示されている絵柄により所定絵柄又は所定絵柄の組み合わせが成立していた場合には遊技者に特典が付与される構成としたことを特徴とする遊技機。
【００５４】
手段２２によれば、いわゆるスロットマシンに対して上記手段１乃至手段２０のいずれかの効果を享受することができる。
【００５５】
手段２３．手段１乃至２０のいずれかにおいて、遊技機前方から視認可能な位置に設けられ、複数種の絵柄が変動表示される複数の絵柄表示領域と、遊技機前面部にて遊技球を貯留する貯留部と、該貯留部に貯留された遊技球を取り込む取込装置と、該取込装置による遊技媒体の取り込みを開始させるべく操作される取込開始操作手段と、各絵柄表示領域における絵柄の変動表示を開始させるべく操作される始動操作手段と、該各絵柄表示領域における絵柄の変動表示を停止させるべく操作される複数の停止操作手段とを備え、
前記取込装置により所定数の遊技媒体が取り込まれ、さらに前記始動操作手段が操作された場合に、各絵柄表示領域における絵柄の変動表示を開始させ、絵柄の変動表示の停止後に各絵柄表示領域に表示されている絵柄により所定絵柄又は所定絵柄の組み合わせが成立していた場合には遊技者に特典が付与される構成としたことを特徴とする遊技機。
【００５６】
手段２３によれば、パチンコ機とスロットマシンとが融合した遊技機に対して上記手段１乃至２０のいずれかの効果を享受することができる。
【発明を実施するための最良の形態】
【００５７】
（第１の実施の形態）
以下、遊技機の一種であるパチンコ遊技機（以下、「パチンコ機」という）の一実施の形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【００５８】
パチンコ機１０は、当該パチンコ機１０の外殻を形成する外枠１１と、この外枠１１に対して前方に回動可能に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００５９】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能に支持されている。詳細には、正面視で左側を回動基端側とし右側を回動先端側として本体枠１３が前方へ回動可能とされている。
【００６０】
本体枠１３には、図２に示すように、前扉枠１４が回動可能に支持されており、正面視で左側を回動基端側とし右側を回動先端側として前方へ回動可能とされている。また、本体枠１３には、図３に示すように、裏パックユニット１５が回動可能に支持されており、正面視で左側を回動基端側とし右側を回動先端側として後方へ回動可能とされている。
【００６１】
次に、前扉枠１４について説明する。なお、以下の説明では、図１〜図３を参照するとともに、前扉枠１４の背面の構成については図５を参照する。図５は、前扉枠１４の背面図である。
【００６２】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００６３】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００６４】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００６５】
前扉枠１４の背面には、図２及び図５に示すように、通路形成ユニット５０が取り付けられている。通路形成ユニット５０は、合成樹脂により成形されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【００６６】
前扉枠１４の背面における回動基端側（図５の右側）には、その上端部及び下端部に突起軸６１，６２が設けられている。これら突起軸６１，６２は本体枠１３に対する組付機構を構成する。前扉枠１４の背面における回動先端側（図５の左側）には、図２に示すように、後方に延びる鉤金具６３が上下方向に複数並設されている。これら鉤金具６３は本体枠１３に対して前扉枠１４を施錠する扉施錠機構を構成する。また、前扉枠１４の背面において、回動先端側の上部には後方へ突出する扉側部材１７１が設けられている。
【００６７】
次に、本体枠１３について詳細に説明する。図６は本体枠１３の正面図である。
【００６８】
本体枠１３は、外形が外枠１１とほぼ同一形状をなす樹脂ベース７１を主体に構成されている。樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【００６９】
樹脂ベース７１の前面における回動先端側（図６の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【００７０】
また、図２に示すように、施錠装置には、本体枠１３を外枠１１に対して開放不能に施錠するための鉤金具５７が設けられている。より詳しくは、樹脂ベース７１の背面における回動先端側に、後方に延びる鉤金具５７が上下方向に複数並設されている。これら鉤金具５７は外枠１１に対して本体枠１３を施錠する本体施錠機構を構成する。鉤金具５７が、外枠１１に設けられた受け金具５８に係止されることによって、本体枠１３が外枠１１に対して開放不能に施錠される。
【００７１】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【００７２】
本体枠１３の回動先端側の上部には、前扉枠１４の扉側部材１７１と対応する位置に前後方向に貫通する貫通孔１８１が設けられている。樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【００７３】
ここで、遊技盤８１の構成を図７に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されていると共に、風車等の各種部材（役物）が配設されている。
【００７４】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【００７５】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００７６】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【００７７】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【００７８】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【００７９】
遊技球発射機構１１０は、図６に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【００８０】
発射レール１１２と遊技盤８１に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【００８１】
樹脂ベース７１において発射レール１１２の左方には、樹脂ベース７１を前後方向に貫通させて通路形成部１２１が設けられている。通路形成部１２１には図３に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【００８２】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【００８３】
次に、本体枠１３の背面構成について説明する。図８は本体枠１３の背面図である。
【００８４】
樹脂ベース７１の背面における回動先端側（図８の左側）には、施錠装置１３１が設けられており、シリンダ錠７５におけるキー操作に対して施錠装置１３１が連動し、本体枠１３及び前扉枠１４の解錠が行われる。施錠装置１３１の上部には、貫通孔１８１よりも内側（図８における貫通孔１８１の右側）には後方へ突出する本体側部材１８３が設けられている。
【００８５】
樹脂ベース７１の背面における回動基端側（図８の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【００８６】
樹脂ベース７１の背面には、係止金具１３５が複数設けられており、これら係止金具１３５によって上述したように樹脂ベース７１に対して遊技盤８１が取り付けられている。ここで、遊技盤８１の背面の構成を説明する。図９は遊技盤８１を後方より見た斜視図、図１０は遊技盤８１から主制御装置ユニット１６０を取り外した状態を示す背面図である。
【００８７】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００８８】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００８９】
遊技盤８１の背面には、図１０に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【００９０】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には後述する排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【００９１】
入賞検知機構について説明すると、集合板ユニット１５０には、遊技盤８１表側の一般入賞口８２と対応する位置に入賞口スイッチ１５２が設けられ、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。なお、集合板ユニット１５０外における可変表示ユニット８６の左右両側には、スルーゲート８５を通過する遊技球を検知するゲートスイッチ１５５が設けられている。
【００９２】
遊技盤８１の背面には、集合板ユニット１５０を後側から覆うようにして主制御装置ユニット１６０が搭載されている。主制御装置ユニット１６０の構成について図１１を用いて説明する。図１１は主制御装置ユニット１６０の構成を示す斜視図である。
【００９３】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００９４】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【００９５】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【００９６】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【００９７】
次に、裏パックユニット１５について説明する。図１２は裏パックユニット１５の正面図、図１３は裏パックユニット１５の分解斜視図である。
【００９８】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【００９９】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【０１００】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０１０１】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【０１０２】
払出機構部２０２には、裏パック基板２２９が設置されている。裏パック基板２２９には、例えば交流２４ボルトの主電源が供給され、電源スイッチ２２９ａの切替操作により電源ＯＮ又は電源ＯＦＦとされるようになっている。
【０１０３】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【０１０４】
制御装置集合ユニット２０４は、横長形状をなす取付台２４１を有し、取付台２４１に払出制御装置２４２と電源及び発射制御装置２４３とが搭載されている。これら払出制御装置２４２と電源及び発射制御装置２４３とは、払出制御装置２４２がパチンコ機１０後方となるように前後に重ねて配置されている。
【０１０５】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０１０６】
電源及び発射制御装置２４３は、基板ボックス２４６内に電源及び発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０１０７】
本実施の形態では、本体枠１３の背面側に鍵部材１９１を取り付けることで、本体枠１３に対しての前扉枠１４の不正開放を規制する構成を実現している。ここでは、その構成について、図２〜図４，図１４等を参照しつつ詳細に説明する。図１４は、パチンコ機１０を上方から見た略図であり、（ａ）は本体枠１３が外枠１１に対して閉鎖されかつ前扉枠１４が本体枠１３に対して閉鎖された状態、（ｂ）は本体枠１３が外枠１１に対して開放された状態を示す。
【０１０８】
まず、前扉枠１４に設けられた扉側部材１７１について説明する。図２に示すように、扉側部材１７１は、金属製の扉側柱部１７２によって主要部が構成され、その扉側柱部１７２が遊技機後方（図５の手前）に向かって突出するようにして立設されている。扉側柱部１７２は、本体枠１３の樹脂ベース７１の厚さよりも長くなっている。扉側柱部１７２の一端には、扉側柱部１７２から遊技機側方に向かって突出した突出部１７３が形成されており、その突出部１７３がネジ等の固定具により前扉枠１４に固定されることで扉側部材１７１が前扉枠１４に取り付け固定されている。
【０１０９】
なお、扉側部材１７１は前扉枠１４に固定されるものであればよいが、鉤金具６３を含む施錠装置に対して固定することが好ましい。これは、主要部が合成樹脂により構成されている前扉枠１４に対して、施錠装置はその主要部が金属により構成されているため、前扉枠１４に対する扉側部材１７１の固定強度が高められ、前扉枠１４から扉側部材１７１が外れてしまう可能性が低減されるからである。
【０１１０】
扉側柱部１７２は板面を左右に向けた矩形板状に形成されており、上下幅よりも左右幅が小さくなるように形成されている。そして、扉側柱部１７２が前扉枠１４の角隅部に配置されていることも相俟って、当該扉側柱部１７２の存在により遊技盤８１の設置可能領域を十分に広く取ることができるようになっている。また、扉側柱部１７２の他端（扉側部材１７１の遊技機前方側の端部であり、扉側柱部１７２の自由端側ともいうことができる。）には扉側孔部１７４が形成されている。扉側孔部１７４は、具体的には扉側柱部１７２を左右に貫通するものである。
【０１１１】
次に、本体枠１３に設けられた本体側部材１８３について説明する。図３に示すように、本体側部材１８３は、扉側部材１７１と同様に、金属製の本体側柱部１８４によって主要部が構成され、その本体側柱部１８４が遊技機後方（図８の手前）に向かって突出するようにして立設されている。本体側柱部１８４は、扉側部材１７１の扉側柱部１７２よりも短くなっている。本体側柱部１８４の一端には、本体側柱部１８４から遊技機側方に向かって突出した突出部１８５が形成されており、その突出部１８５がネジ等の固定具により本体枠１３に固定されることで本体側部材１８３が本体枠１３に取り付け固定されている。
【０１１２】
なお、本体側部材１８３は本体枠１３に固定されるものであればよいが、特に施錠装置に対して固定することが好ましい。これは、主要部が合成樹脂により構成されている本体枠１３に対して、施錠装置はその主要部が金属により構成されているため、本体枠１３に対する本体側部材１８３の固定強度が高められ、本体枠１３から本体側部材１８３が外れてしまう可能性が低減されるからである。
【０１１３】
本体側柱部１８４は板面を左右に向けた矩形板状に形成されており、上下幅よりも左右幅が小さくなるように形成されている。そして、本体側柱部１８４が本体枠１３の角隅部に配置されていることも相俟って、当該本体側柱部１８４の存在により遊技盤８１の設置可能領域を十分に広く取ることができるようになっている。また、本体側柱部１８４の他端（本体側部材１８３の遊技機前方側の端部であり、本体側柱部１８４の自由端側ともいうことができる。）には本体側孔部１８６（図４参照）が形成されている。本体側孔部１８６は、具体的には本体側柱部１８４を左右に貫通するものである。
【０１１４】
本体側部材１８３の外側（図８における本体側部材１８３の左側）に設けられている貫通孔１８１は、樹脂ベース７１を遊技機前後方向に貫通するものであり、扉側部材１７１の貫通が可能な大きさとなっている。詳細には、前扉枠１４の開閉に伴い当該前扉枠１４と扉側部材１７１とが一体に回動するため、前扉枠１４の開閉の際に扉側部材１７１が貫通孔１８１内周壁と干渉しないように、貫通孔１８１の大きさ及び位置が設定されている。ここで、本体枠１３に対して前扉枠１４を閉鎖した状態においては、扉側部材１７１の後端は樹脂ベース７１よりも後方へ突出され、同様に扉側孔部１７４も樹脂ベース７１より後方へ突出されている。
【０１１５】
図４及び図１４に示すように、扉側部材１７１と本体側部材１８３とには南京錠などの鍵部材１９１が取り付けられている。前扉枠１４が本体枠１３に対して閉鎖状態にある場合、本体枠１３の背面側に露出している扉側部材１７１の後端は、本体側部材１８３の外側（本体枠１３の回動先端側）に位置している。この場合、扉側部材１７１と本体側部材１８３とは向かい合うようにして遊技機左右方向に並んでおり、扉側部材１７１の一方の板面と本体側部材１８３の一方の板面とは対向している。そして、扉側部材１７１の扉側孔部１７４と本体側部材１８３の本体側孔部１８６とが連通した状態となっている。ここで、扉側部材１７１及び本体側部材１８３の板面は互いに当接又は近接しているが、本体側部材１８３が扉側部材１７１の内側（前扉枠１４の回動基端側）に位置しているため、扉側部材１７１と本体側部材１８３とが干渉することなく前扉枠１４を開閉させることが可能となる。
【０１１６】
鍵部材１９１は、略直方体の本体部１９２と略Ｕ字状のアーム部１９３とにより構成されている。アーム部１９３は、一方の端部が自由端として他方の端部が固定端として本体部１９２に取り付けられている。本体部１９２はアーム部１９３の自由端の保持が可能となっており、自由端が保持された状態（施錠された状態）ではアーム部１９３の両端部が本体部１９２により連結された状態となる。一方、自由端の保持が解除された状態（開錠された状態）では、アーム部１９３の両端部は連結されておらず、アーム部１９３がフックとしての役割を果たすことが可能となる。
【０１１７】
鍵部材１９１には図示しない鍵穴が設けられており、その鍵穴に解錠キーが挿入されその状態で回動操作されることにより鍵部材１９１が解錠される。解錠キーにより解除された鍵部材１９１は、アーム部１９３が本体部１９２に押し込まれることで施錠されることとなる。
【０１１８】
鍵部材１９１は、解錠された後、アーム部１９３がその自由端側から扉側孔部１７４と本体側孔部１８６とに挿通され、再び施錠されることで扉側部材１７１と本体側部材１８３とに取り付けられている。この状態では、扉側部材１７１と本体側部材１８３とが遊技機左右方向からアーム部１９３により貫通されているため、各部材１７１，１８３の遊技機前後方向への離間が規制されている。すなわち、扉側部材１７１と本体側部材１８３とが鍵部材１９１により連結されることで、本体枠１３に対する前扉枠１４の開放が規制されている。なお、扉側孔部１７４と本体側孔部１８６とのそれぞれの口径は、アーム部１９３の外形より若干大きくなっている。但し、孔部１７４，１８６は、アーム部１９３を挿通させることは可能であるが、孔内側にてアーム部１９３ががたつかない程度の大きさとなっている。
【０１１９】
図１４（ａ）に示すように、前扉枠１４が本体枠１３に対して閉鎖状態にありかつ本体枠１３が外枠１１に対して閉鎖状態にある場合、鍵部材１９１は本体枠１３及び前扉枠１４の後方に位置しかつ外枠１１，島設備等に隠れている。この場合、解錠キーによる鍵部材１９１の解錠操作を行うこと自体ができないようになっている。したがって、本体枠１３に対する前扉枠１４の開放が規制されることとなる。
【０１２０】
これに対して、図１４（ｂ）に示すように、本体施錠機構が解錠されて本体枠１３が外枠１１に対して開放された場合、鍵部材１９１は本体枠１３及び前扉枠１４の後方に位置するが、鍵部材１９１が外枠１１，島設備等に隠れない。この場合、解錠キーによる鍵部材１９１の解錠操作を行うことは可能となるが、解錠しない限り鍵部材１９１により本体枠１３に対する前扉枠１４の閉鎖状態が保持されている。このため、仮に扉施錠機構が解錠されても前扉枠１４の開放が規制されることとなる。
【０１２１】
次に、パチンコ機１０の電気的構成について、図１４のブロック図に基づいて説明する。図１４では、電力の供給ラインを二重線矢印で示し、信号ラインを実線矢印で示す。
【０１２２】
主制御装置１６２に設けられた主制御基板３０１には、主制御回路３０２と停電監視回路３０３とが内蔵されている。主制御回路３０２には、ＣＰＵ３１１が搭載されている。ＣＰＵ３１１には、当該ＣＰＵ３１１により実行される各種の制御プログラムや固定値データを記憶したＲＯＭ３１２と、そのＲＯＭ３１２内に記憶される制御プログラムの実行に際して各種のデータ等を一時的に記憶するためのメモリであるＲＡＭ３１３と、割込回路やタイマ回路、データ入出力回路などの各種回路が内蔵されている。
【０１２３】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０１２４】
ＣＰＵ３１１には、アドレスバス及びデータバスで構成されるバスラインを介して入出力ポートが接続されている。主制御回路３０２の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、主制御回路３０２には停電監視回路３０３を介して電力が供給される。
【０１２５】
一方、主制御回路３０２の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０１２６】
停電監視回路３０３は、主制御回路３０２と電源及び発射制御基板３２１とを中継し、また電源及び発射制御基板３２１から出力される最大電源である直流安定２４ボルトの電源を監視する。
【０１２７】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０１２８】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０１２９】
払出制御基板３２２のＣＰＵ３３１には、アドレスバス及びデータバスで構成されるバスラインを介して入出力ポートが接続されている。払出制御基板３２２の入力側には、主制御回路３０２、電源及び発射制御基板３２１、及び裏パック基板２２９が接続されている。また、払出制御基板３２２の出力側には、主制御回路３０２及び裏パック基板２２９が接続されている。
【０１３０】
電源及び発射制御基板３２１は、電源部と発射制御部とを備えている。電源部は、二重線矢印で示す経路を通じて、主制御回路３０２や払出制御基板３２２等に対して各々に必要な動作電力を供給する。発射制御部は、遊技者による遊技球発射ハンドル４１の操作にしたがって遊技球発射機構１１０の発射制御を担うものであり、遊技球発射機構１１０は所定の発射条件が整っている場合に駆動される。
【０１３１】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０１３２】
音声ランプ制御基板３２４のＣＰＵ３４１にはアドレスバス及びデータバスで構成されるバスラインを介して入出力ポートが接続されている。音声ランプ制御基板３２４の入力側には中継端子板３２３に中継されて主制御回路３０２が接続されており、主制御回路３０２から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置９１を制御する。
【０１３３】
以上詳述した第１の実施の形態によれば、以下の優れた効果を奏する。
【０１３４】
前扉枠１４が本体枠１３に対して閉鎖状態にある場合に、扉側部材１７１と本体側部材１８３とに鍵部材１９１が取り付けられることで、扉側部材１７１と本体側部材１８３との別々の移動が規制される構成とした。このため、本体枠１３に対する前扉枠１４の不正開放を規制することができる。例えば、前扉枠１４が本体枠１３に対して開放された場合、一般入賞口８２や作動口８４に不正に入賞させたり、可変入賞装置８３を強制的に開放状態として遊技球が入賞しやすい状態としたりして、所定数の賞球を払い出させて利益を得るという不正行為が行われるおそれがある。これに対し、本構成によれば、前扉枠１４の不正開放を規制することで、前記不正行為の発生を抑制することができる。すなわち、本体枠１３の前面部への不正に対して抑止力を高めることができる。
【０１３５】
扉側部材１７１の扉側孔部１７４と本体側部材１８３の本体側孔部１８６とに鍵部材１９１のアーム部１９３を挿通させることで、扉側部材１７１と本体側部材１８３とが連結される構成とした。このため、扉側部材１７１と本体側部材１８３との離間を規制することができ、本体枠１３に対する前扉枠１４の開放を規制することができる。
【０１３６】
扉側孔部１７４と本体側孔部１８６との内側にてアーム部１９３ががたつかない構成としたため、扉側部材１７１と本体側部材１８３とのずれに起因した、前扉枠１４の比較的小さい開放を規制することができる。したがって、仮に前扉枠１４が遊技機前方に強引に引っ張られても本体枠１３と前扉枠１４との間の領域の拡張を規制することができる。これにより、本体枠１３と前扉枠１４との間からの不正道具の差し込みをより困難なものとすることができる。故に、本体枠１３と前扉枠１４との間から不正道具などを遊技領域まで差し込み、不正道具により遊技球を誘導して一般入賞口８２や作動口８４に入賞させたり、不正道具により可変入賞装置８３を強制的に開放状態として遊技球が入賞しやすい状態としたりすることなどで所定数の賞球を払い出させて利益を得るという不正に対して、抑止力を発揮することができる。
【０１３７】
扉側部材１７１を前扉枠１４の背面部に設けるとともに、本体側部材１８３を本体枠１３の背面部設けたため、それら部材１７１，１８３に取り付けられた鍵部材１９１を、遊技機前方から取り外すことが困難なものとなっている。また、本体枠１３及び前扉枠１４が閉鎖状態にある場合は、扉側部材１７１、本体側部材１８３及び鍵部材１９１に対する作業を行うこと自体ができない。このため、扉側部材１７１や本体側部材１８３が不正に切断されたり、鍵部材１９１が強引に解錠されたりするといった不都合の発生を抑制することができる。
【０１３８】
鍵部材１９１を、解錠キーによる解錠操作が行われることで解錠される構成としたため、鍵部材１９１の不正解錠の発生を抑制することができる。例えばホール管理者などにより解錠キーが適正に管理されている場合、不正行為者が解錠キーを所有することができないため鍵部材１９１を解錠することができない。したがって、仮に外枠１１に対して本体枠１３が不正に開放されて鍵部材１９１が遊技機前方に露出する状態となっても、本体枠１３に対する前扉枠１４の閉鎖状態を保持することができる。
【０１３９】
扉側部材１７１及び本体側部材１８３のそれぞれの自由端側に鍵部材１９１を取り付ける構成としたため、本体枠１３の背面部からある程度離間した位置に鍵部材１９１を取り付けることができる。このため、外枠１１や、本体枠１３の後方に配置された裏パックユニット１５などと干渉することなく鍵部材１９１を扉側部材１７１及び本体側部材１８３に取り付けることができる。
【０１４０】
前扉枠１４が本体枠１３に回動可能に支持されているため、前扉枠１４の回動先端側に扉側部材１７１を設けて回動先端側のみにて遊技機前方への移動を規制するだけで、本体枠１３及び前扉枠１４の開放を規制することができる。また、例えば開放方向に向かう外力が前扉枠１４に対して加えられた場合に、回動基端側に扉側部材１７１が設けられた構成に比して、より大きな外力に抗して前扉枠１４の閉鎖状態を保持することが可能となる。故に、前扉枠１４の不正開放をより確実に規制することができる。
【０１４１】
ここで、前扉枠１４では回動基端側が回動先端側より大きく開放されることが規制されている。したがって、例えば、柱部材６５を前扉枠１４の回動基端側に設けた場合、巻取機２５１からワイヤ２５５が少しだけ繰り出されると、前扉枠１４の開放が回動基端側では僅かなものであっても回動先端側では大きなものとなるおそれがあるが、柱部材６５を前扉枠１４の回動先端側に設けたため、仮に巻取機２５１からワイヤ２５５が少しだけ繰り出されても前扉枠１４の開放を回動基端側ではもちろん回動先端側でも僅かなものとすることができる。
【０１４２】
（第２の実施の形態）
本実施の形態では、本体枠１３に対しての前扉枠１４の不正開放を規制する構成が上記第１の実施の形態と異なっている。以下の説明では、上記第１の実施の形態との相違点を説明し、同一の構成については基本的に説明を省略する。図１６は、遊技ホールＨに設置されたパチンコ機１０を上方から見た略図であり、（ａ）は本体枠１３が外枠１１に対して閉鎖されかつ前扉枠１４が本体枠１３に対して閉鎖された状態、（ｂ）は本体枠１３が外枠１１に対して開放されかつ前扉枠１４が本体枠１３に対して開放された状態を示す。
【０１４３】
図１６に示すように、遊技ホールＨにおいて、パチンコ機１０は、外枠１１が島設備Ｓに取り付け固定されることで取付対象としての島設備Ｓに取り付けられている。島設備Ｓには、パチンコ機１０を正面から見てパチンコ機１０の右上部後方、すなわち前扉枠１４の扉側部材１７１の後方位置に巻取機３４５が設けられている。
【０１４４】
巻取機３４５には図示しないリールが設けられており、リールは正逆両方向への回転が可能となっている。リールは、図示しないバネなどの付勢部材により正回転方向に付勢されており、リールに対して外力が加えられていない場合にリールは正方向に回転し、付勢部材の付勢力に抗する外力がリールに加えられた場合にリールは逆方向に回転する。巻取機３４５には図示しないストッパが設けられており、そのストッパは保持位置及び解除位置への移動が可能となっている。ストッパが保持位置にある場合は巻取機３４５が保持状態にあり、ストッパが解除位置にある場合は巻取機３４５が解除状態にある。巻取機３４５が保持状態にある場合は、リールの逆方向への回転が阻止され、正方向への回転のみが可能となっている。巻取機３４５が解除状態にある場合は、リールの正逆両方向への回転が可能となっている。
【０１４５】
巻取機３４５はワイヤ３４６の巻き取りと繰り出しが可能となっている。より詳しくは、巻取機３４５のリールには鋼製のワイヤ３４６が巻回されている。ワイヤ３４６は可撓性を有しており、その一端がリールに固定されている。これにより、リールへのワイヤ３４６の巻回が可能となっている。リールが正回転することでワイヤ３４６が巻取機３４５に巻き取られ、リールが逆回転することでワイヤ３４６が巻取機３４５から繰り出される。
【０１４６】
巻取機３４５が保持状態にある場合、ワイヤ３４６の繰り出しが阻止され、ワイヤ３４６の巻き取りのみが可能となっている。巻取機３４５が解除状態にある場合、ワイヤ３４６の繰り出し及び巻き取りの両方が可能となっている。また、巻取機３４５が保持状態及び解除状態のいずれの状態にある場合でも、リールが正回転方向に付勢されているため、巻取機３４５は常にワイヤ３４６を巻き取る状態となっている。
【０１４７】
ワイヤ３４６の他端には金属製のフック３４７が接続されており、そのフック３４７は、外枠１１の内部及び本体枠１３の貫通孔１８１を通して前扉枠１４の扉側部材１７１に引っ掛けられている。ここで、ワイヤ３４６は、巻取機３４５と扉側部材１７１とを連結する連結手段となり、巻取機３４５は、この巻取機３４５と扉側部材１７１との間でワイヤ３４６の長さを可変とする可変機能を有していることとなる。
【０１４８】
上記第１の実施の形態と同様に、前扉枠１４には扉側部材１７１が設けられており、本体枠１３には貫通孔１８１が形成されている。ワイヤ３４６及びフック３４７は貫通孔１８１への貫通が可能となっている。なお、本体枠１３に対して前扉枠１４を閉鎖した状態においては、扉側部材１７１の後端は樹脂ベース７１よりも後方へ突出され、同様に扉側孔部１７４及びこれに引っ掛けられているフック３４７も樹脂ベース７１より後方へ突出されている。
【０１４９】
ここで、本体枠１３及び前扉枠１４の開放規制について説明する。
【０１５０】
図１６（ａ）では、前扉枠１４が本体枠１３に対して閉鎖状態にありかつ本体枠１３が外枠１１に対して閉鎖状態にある。すなわち、前扉枠１４が外枠に対して相対的に閉鎖状態にある。この場合、前扉枠１４の扉側部材１７１は閉鎖位置にあることとなる。扉側部材１７１は本体枠１３の貫通孔３４８を貫通しており、扉側部材１７１の扉側孔部１７４は、本体枠１３と前扉枠１４との間の領域より後方に位置している。このため、その領域より後方に、扉側孔部１７４に引っ掛けられたフック３４７、及びワイヤ３４６が位置することとなる。
【０１５１】
巻取機３４５は、扉側部材１７１及び貫通孔３４８の延長線上に設けられており、ワイヤ３４６は、扉側部材１７１と巻取機３４５との間にて直線状となっている。これは、巻取機３４５は常にワイヤ３４６を巻き取る状態となっており、ワイヤ３４６は扉側部材１７１と巻取機３４５との間で弛まないようになっているためである。
【０１５２】
前扉枠１４が外枠１１に対して相対的に閉鎖状態にある場合に巻取機３４５が保持状態となると、巻取機３４５からワイヤ３４６が繰り出されなくなり、扉側部材１７１と巻取機３４５との間にてワイヤ３４６が一定の長さ（特定長さ）にて保持される。このため、扉側部材１７１が閉鎖位置にて位置保持され、外枠１１に対する前扉枠１４の相対的な開放が規制される。すなわち、巻取機３４５からワイヤ３４６が繰り出されないため、施錠装置の解錠操作により外枠１１に対する本体枠１３の施錠を解錠しても、外枠１１に対して前扉枠１４を相対的に開放させることができず、本体枠１３に対する前扉枠１４の施錠を解錠しても、外枠１１に対して前扉枠１４を相対的に開放させることができない。
【０１５３】
本体枠１３はその前面側全体が前扉枠１４により覆われているため、前扉枠１４が外枠１１に対して相対的に閉鎖状態にある場合、本体枠１３を外枠１１に対して開放状態とすることが不可となっている。したがって、巻取機３４５により扉側部材１７１が閉鎖位置にて位置保持されると、外枠１１に対する前扉枠１４の相対的な開放が規制され、これにより本体枠１３に対する前扉枠１４の開放及び外枠１１に対する本体枠１３の開放が規制される。
【０１５４】
巻取機３４５が解除状態になると、巻取機３４５からのワイヤ３４６の繰り出しが可能となり、閉鎖位置における扉側部材１７１の位置保持が解除され、外枠１１に対する前扉枠１４の相対的な開放の規制が解除される。この場合、施錠装置の解錠操作により外枠１１に対する本体枠１３の施錠を解錠すれば、外枠１１に対する本体枠１３の開放が可能となり、本体枠１３に対する前扉枠１４の施錠を開錠すれば、本体枠１３に対する前扉枠１４の開放が可能となる。
【０１５５】
図１６（ｂ）では、前扉枠１４が本体枠１３に対して開放された状態にありかつ本体枠１３が外枠１１に対して開放された状態にある。上記したように、ワイヤ３４６は扉側部材１７１と巻取機３４５との間で弛まないようになっているため、ワイヤ３４６は、貫通孔３４８を頂点として、扉側部材１７１と貫通孔３４８との間で直線状となっており、かつ貫通孔３４８と巻取機３４５との間で直線状となっている。
【０１５６】
本体枠１３を外枠１１に対して開閉動作させると、本体枠１３は外枠１１と前扉枠１４との間で回動動作することとなる。ここで、巻取機３４５は解除状態となっているため、扉側部材１７１と巻取機３４５との間におけるワイヤ３４６の長さは本体枠１３の回動に伴い変化することとなる。本体枠１３が回動されると、本体枠１３の貫通孔３４８は扉側部材１７１と巻取機３４５との間で曲線的に移動することとなる。
【０１５７】
以上詳述した第２の実施の形態によれば、以下の優れた効果を奏する。
【０１５８】
前扉枠１４が外枠１１に対して相対的に閉鎖状態にある場合に、巻取機３４５が保持状態となると扉側部材１７１が閉鎖位置にて位置保持される構成としたため、外枠１１に対する前扉枠１４の相対的な開放を規制することができる。また、前扉枠１４により本体枠１３の前面側全体を覆う構成としたため、単に外枠１１に対する前扉枠１４の相対的な開放を規制するだけで、本体枠１３に対する前扉枠１４の開放及び外枠１１に対する本体枠１３の開放を規制することができる。これにより、前扉枠１４及び本体枠１３の不正開放を抑制することができる。
【０１５９】
例えば、前扉枠１４が本体枠１３に対して開放された場合、一般入賞口８２や作動口８４に不正に入賞させたり、可変入賞装置８３を強制的に開放状態として遊技球が入賞しやすい状態としたりして、所定数の賞球を払い出させて利益を得るという不正行為が行われるおそれがある。
【０１６０】
また、本体枠１３が外枠１１に対して開放された場合、主制御装置１６２や払出制御装置に対して不正が行われるおそれがある。例えば、不正行為として、本体枠１３の背面側に不正基板を設置し、不正基板から払出制御装置２４２に不正信号を入力することで払出装置２２４から強制的に遊技球を払い出させたり、一般入賞口８２や作動口８４に遊技球が入賞した際に主制御装置１６２に入力される信号と同等の信号を不正基板から主制御装置１６２に入力したりする不正が考えられる。
【０１６１】
以上の結果、本実施の形態では、パチンコ機１０内部を対象として行われる不正行為に対して抑止力を発揮することができるとともに、パチンコ機１０の背面側を対象として行われる不正行為に対して抑止力を発揮することができる。
【０１６２】
また、扉側部材１７１を閉鎖位置にて位置保持する構成としたため、遊技機前方への前扉枠１４の変位を規制することができる。したがって、仮に前扉枠１４が遊技機前方に強引に引っ張られても本体枠１３と前扉枠１４との間の領域の拡張を規制することができる。これにより、本体枠１３と前扉枠１４との間からの不正道具の差し込みをより困難なものとすることができる。故に、本体枠１３と前扉枠１４との間から不正道具などを遊技領域まで差し込み、不正道具により遊技球を誘導して一般入賞口８２や作動口８４に入賞させたり、不正道具により可変入賞装置８３を強制的に開放状態として遊技球が入賞しやすい状態としたりすることなどで所定数の賞球を払い出させて利益を得るという不正に対して、抑止力を発揮することができる。
【０１６３】
巻取機３４５のワイヤ３４６を前扉枠１４の扉側部材１７１に接続したため、巻取機３４５を保持状態とすることで、扉側部材１７１を閉鎖位置にて位置保持することが可能となる。また、巻取機３４５を解除状態とすることで、扉側部材１７１の位置保持を解除することが可能となる。したがって、前扉枠１４及び本体枠１３の不正開放を規制しつつ、ホール関係者などが前扉枠１４及び本体枠１３を正規に開放する際には、巻取機３４５を解除状態とするだけでそれらの開放が可能となる。
【０１６４】
巻取機３４５をパチンコ機１０の後方に設けたため、前扉枠１４の扉側部材１７１と巻取機３４５との間におけるワイヤ３４６を一定の長さより長くならないようにすることで、前扉枠１４の前方への開放を規制することができる。さらに、巻取機３４５をパチンコ機１０の前方に設けた場合は、前扉枠１４の開放を規制する構成が複雑なものとなると考えられる。仮に、その構成が実現されても、巻取機３４５やワイヤ３４６が前扉枠１４及び本体枠１３の開放の支障となる可能性があるが、本実施の形態では、巻取機３４５やワイヤ３４６が支障とならずに前扉枠１４及び本体枠１３を開放することができる。
【０１６５】
巻取機３４５のリールを、ワイヤ３４６を巻き取る方向（正回転方向）に付勢手段により付勢される構成としたため、前扉枠１４の閉鎖動作に伴い巻取機３４５にてワイヤ３４６を巻き取ることができる。これにより、例えば、前扉枠１４を外枠１１に対して相対的に閉鎖状態としても、ワイヤ３４６の弛みの発生を抑制することができる。故に、本体枠１３及び前扉枠１４の閉鎖動作に伴い外枠１１と本体枠１３との間や本体枠１３と前扉枠１４との間にワイヤ３４６を挟み込んでしまうといった不都合の発生を抑制することができる。
【０１６６】
前扉枠１４の扉側部材１７１と巻取機３４５とを可撓性を有する鋼製のワイヤ３４６により連結したため、前扉枠１４の開閉動作に応じてワイヤ３４６の長さを調節することが可能となり、前扉枠１４の開閉動作を円滑なものとすることが可能となる。また、巻取機３４５のリールにワイヤ３４６を巻回することが可能となるため、前扉枠１４が外枠１１に対して相対的に閉鎖状態にある場合でも、ワイヤ３４６を巻取機３４５にてコンパクトにまとめることができる。さらに、ワイヤ３４６に十分な強度を持たせることが可能となるため、前扉枠１４を強引に遊技機前方に引っ張ることでワイヤ３４６を引き伸ばそうとしたり、ワイヤ３４６を切断したりしようとしても、それが非常に困難なものとなっている。故に、本体枠１３及び前扉枠１４の不正開放をより好適に規制することができる。
【０１６７】
前扉枠１４が外枠１１に対して相対的に閉鎖状態にある場合、本体枠１３と前扉枠１４との間の領域より後方にワイヤ３４６が位置する構成としたため、本体枠１３と前扉枠１４との間にてワイヤ３４６が切断されるといった不都合を抑制することができる。本体枠１３と前扉枠１４との間には扉側部材１７１が位置しているが、扉側部材１７１を金属性としたため、扉側部材１７１を強引に切断しようとしてもそれが困難なものとなっている。故に、本体枠１３及び前扉枠１４の不正開放をより好適に規制することができる。
【０１６８】
本体枠１３が外枠１１に回動可能に支持され、前扉枠１４が本体枠１３の回動基端側に回動可能に支持されているため、前扉枠１４の回動先端側のみを遊技機前方への移動を規制するだけで、本体枠１３及び前扉枠１４の開放を規制することができる。また、換言すれば、前扉枠１４では回動基端側が回動先端側より大きく開放されることが規制されている。したがって、例えば、扉側部材１７１を前扉枠１４の回動基端側に設けた場合、巻取機３４５からワイヤ３４６が少しだけ繰り出されると、前扉枠１４の開放が回動基端側では僅かなものであっても回動先端側では大きなものとなるおそれがあるが、扉側部材１７１を前扉枠１４の回動先端側に設けたため、仮に巻取機３４５からワイヤ３４６が少しだけ繰り出されても前扉枠１４の開放を回動基端側ではもちろん回動先端側でも僅かなものとすることができる。
【０１６９】
扉側部材１７１を前扉枠１４の上部に設けるとともに、貫通孔３４８を本体枠１３の上部に設け、さらに巻取機３４５を扉側部材１７１及び貫通孔３４８の延長線上に設けたため、前扉枠１４が開放状態にある場合、ワイヤ３４６がパチンコ機１０の上部にて扉側部材１７１と巻取機３４５とを連結する状態となる。したがって、ホール管理者が本体枠１３及び前扉枠１４を開放させて、遊技機内部のメンテナンスなどを行う場合、ワイヤ３４６がその作業の支障になるといった不都合を抑制することができる。例えば、ワイヤ３４６がパチンコ機１０の中央部や下部に位置している場合、ワイヤ３４６が邪魔となり作業時に顔や体などをパチンコ機１０に十分に近づけることが困難なものとなり、作業性が低下するおそれがある。これに対し、本実施の形態では、メンテナンスなどの作業性の低下を抑制することができる。
【０１７０】
巻取機３４５を遊技ホールＨに設置したため、パチンコ機１０側には、前扉枠１４に扉側部材１７１を設けるだけで、前扉枠１４及び本体枠１３の不正開放を規制する構成を実現することができる。したがって、不正対策に要するコストの低減を図ることが可能となる。また、パチンコ機１０を遊技ホールＨに新規に設置した場合、ワイヤ３４６のフック３４７を前扉枠１４に設けられた扉側部材１７１の扉側孔部１７４に引っ掛けるだけで、ワイヤ３４６を前扉枠１４に取り付けることができる。このため、より簡易な作業により前扉枠１４及び本体枠１３の不正開放を規制する構成を実現することができる。さらに、パチンコ機１０を入れ替えても、新規のパチンコ機１０に同じ巻取機３４５を使用することが可能なため、不正対策に要するコストの低減をより一層図ることが可能となる。
【０１７１】
施錠装置が扉施錠機構を有する構成としたため、巻取機３４５が解除状態にある場合でも、本体枠１３に対する前扉枠１４の閉鎖状態を保持することができる。例えば、主制御装置１６２などのメンテナンスを行う場合に、その閉鎖状態を保持しつつ、外枠１１から本体枠１３を開放させ、主制御装置１６２などを露出させることが可能となる。この場合、作業終了後は、本体枠１３を外枠１１に対して閉鎖状態とするだけで、巻取機３４５を保持状態とすることが可能になる。これに対し、本体枠１３の開放とともに前扉枠１４も開放される構成の場合、作業終了後、本体枠１３に加えて前扉枠１４も閉鎖状態とする必要がある。故に、より簡易な操作により、巻取機３４５が保持状態に可能な状態とすることができる。
【０１７２】
施錠装置が本体施錠機構を有する構成としたため、巻取機３４５が解除状態にある場合でも、外枠１１に対する本体枠１３の閉鎖状態を保持することができる。例えば、遊技領域において、遊技球の球詰まりが発生した場合、ホール管理者などがその球詰まりを解消する際に、前扉枠１４を本体枠１３に対して開放させる必要がある。この場合、本体枠１３を外枠１１から開放させることなく作業を行うことができる。これに対し、前扉枠１４の開放とともに本体枠１３も開放される構成の場合、球詰まりを解消する際に、遊技者などに主制御装置１６２など本体枠１３の背面側が見られるおそれがある。不正行為者に本体枠１３の背面側を見られると新たな不正方法を考案されるおそれがあるため、本体枠１３の背面側は不要に開放しない構成とすることが望ましい。故に、不正対策を講じつつ、球詰まり解消の作業を行うことができる。
【０１７３】
なお、上述した実施の形態の記載内容に限定されず、例えば次のように実施してもよい。
【０１７４】
（ａ）上記第１の実施の形態では、扉側部材１７１と本体側部材１８３とを鍵部材１９１により連結することで前扉枠１４の不正開放を規制する構成としたが、これを変更してもよい。例えば、図１７（ａ）に示すように、鍵部材１９１を扉側部材１７１に取り付け、鍵部材１９１と本体枠１３とが当接することで前扉枠１４の不正開放を規制する構成としてもよい。
【０１７５】
図１７（ａ）において、扉側部材１７１は扉側柱部１７２により主要部が構成されている。また、扉側部材１７１には、扉側柱部１７２を左右に貫通する扉側孔部１７４が形成されている。前扉枠１４が閉鎖状態にある場合において、扉側孔部１７４の前扉枠１４側の内壁の一部が、扉側部材１７１の周辺にあたる本体枠１３の背面と同一平面上に存在している。この場合、扉側孔部１７４に鍵部材１９１のアーム部１９３を挿通させた状態では、アーム部１９３が本体枠１３の一部と当接することとなる。このため、前扉枠１４と本体枠１３とが分離する方向への移動が規制されることとなり、前扉枠１４の不正開放を規制することができる。
【０１７６】
上記した構成の場合、本体枠１３に鍵部材１９１を固定するための部材（本体側部材１８３）を設けることなく、本体枠１３の前面部への不正に対して抑止力を高めることができる。したがって、より簡易な構成により不正対策を実現することができる。
【０１７７】
また、図１６（ｂ）に示すように、鍵部材１９１を扉側部材１７１に取り付け、本体枠１３に設けた当接部３５１と鍵部材３５５とが当接することで前扉枠１４の不正開放を規制する構成としてもよい。図１７（ｂ）において、本体枠１３の背面部には遊技機後方（図の上方）に突出する当接部３５１が形成されており、当接部３５１に当接する状態で鍵部材３５５が扉側部材１７１に取り付けられている。鍵部材３５５は、全体として略直方体の本体部３５６と、棒状のアーム部３５７とにより構成されている。
【０１７８】
本体部３５６には、その一側面の中央を一方向に延びる溝部３５８と、溝部３５８を挟む凸部３５９ａ，３５９ｂとが設けられている。凸部３５９ａ，３５９ｂには、それぞれ貫通孔３６０ａ，３６０ｂが形成されており、それら貫通孔３６０ａ，３６０ｂは溝部３５８を挟んで直線状に連通されている。貫通孔３６０ａ，３６０ｂには、アーム部３５７が挿通されている。
【０１７９】
アーム部３５７は棒状に形成されており、その外径は貫通孔３６０ａ，３６０ｂの内径より若干小さくなっている。アーム部３５７は、長さ方向への移動が可能となっており、貫通孔３６０ａ，３６０ｂへの差し込み及び抜き出しが可能となっている。アーム部３５７が貫通孔３６０ａ及び３６０ｂに差し込まれた（アーム部３５７を実線で図示した）場合は、凸部３５９ａ，３５９がアーム部３５７により連結され、アーム部３５７が貫通孔３６０ａ，３６０ｂの少なくとも一方から抜き出された（アーム部３５７を一点鎖線で図示した）場合は、凸部３５９ａ，３５９ｂは連結されないこととなる。
【０１８０】
前扉枠１４が閉鎖状態にある場合に、鍵部材３５５のアーム部１９３を扉側部材１７１の扉側孔部１７４に挿通させつつ貫通孔３６０ａ，３６０ｂに挿通させた状態では、鍵部材３５５の凸部３５９ａ，３５９ｂが本体枠１３の当接部３５１に当接している。これにより、前扉枠１４と本体枠１３とが分離する方向への移動が規制されることとなり、前扉枠１４の不正開放を規制することができる。
【０１８１】
上記した構成の場合、本体枠１３の当接部３５１の前後方向の幅を調節することにより、鍵部材３５５と本体枠１３とが当接する位置を調節することが可能となる。すなわち、当接部３５１が調節機能を有していることとなる。このため、例えば、鍵部材３５５ではなく他の鍵部材を扉側部材１７１に取り付ける場合でも、当接部３５１の前後方向の幅を調節すればよく、本体枠１３全体の前後方向の幅を調節したり扉側部材１７１の扉側孔部１７４の位置を調節したりする必要がない。また、図１７（ａ）の構成と同様に、本体枠１３に鍵部材を固定するための部材（本体側部材１８３）を設ける必要がない。以上の結果、より簡易な構成により、本体枠１３の前面部への不正に対して抑止力をより一層高めることができる。
【０１８２】
（ｂ）上記第１の実施の形態では、扉側部材１７１及び本体側部材１８３を略柱状の形状としたが、鍵部材１９１の取り付けが可能な形状であればよい。但し、例えば、左右幅及び上下幅を大きくした場合、扉側部材１７１及び本体側部材１８３が遊技盤８１などと干渉するおそれがあるため、上記実施の形態で説明したように上下幅よりも左右幅が小さい略柱状の形状とすることが好ましい。
【０１８３】
（ｃ）上記各実施の形態では、扉側部材１７１を前扉枠１４の背面部に設けるとともに、本体側部材１８３を本体枠１３の背面部に設ける構成としたが、扉側部材１７１を前扉枠１４の前面部に設けたり、本体側部材１８３を本体枠１３の前面部に設けたりする構成としてもよい。但し、この場合、鍵部材１９１を本体枠１３の背面側にて扉側部材１７１に取り付ける構成が複雑なものとなる可能性がある。また、遊技機前方から扉側部材１７１や本体側部材１８３が強引に取り外されるなどのおそれがある。したがって、上記実施の形態で説明したように扉側部材１７１を前扉枠１４の背面部に設けるとともに、本体側部材１８３を本体枠１３の背面部に設ける構成とすることが好ましい。
【０１８４】
（ｄ）上記各実施の形態では、扉側部材１７１を前扉枠１４の回動先端側に設けたが、前扉枠１４の回動基端側に設けてもよい。但し、この場合、例えば開放方向に向かう外力が前扉枠１４に対して加えられた場合に、より大きな応力が扉側部材１７１に付与されることとなるため、より小さい外力により前扉枠１４が強引に開放されるおそれがある。このため、上記実施の形態で説明したように扉側部材１７１を前扉枠１４の回動先端側に設けることが好ましい。
【０１８５】
（ｅ）上記各実施の形態では、本体枠１３を前後に貫通する貫通孔１８１を設ける構成としたが、扉側部材１７１を背面側に露出させることが可能な構成であればよい。例えば、本体枠１３に切欠部を設け、その切欠部を通して扉側部材１７１を本体枠１３の背面側に露出させる。これにより、本体枠１３の背面側にて扉側部材１７１に鍵部材１９１を取り付けることが可能となる。但し、この場合、本体枠１３に設けた切欠部から本体枠１３の前面部などに不正道具などが差し込まれるおそれがあるため、上記実施の形態で説明したように本体枠１３に貫通孔１８１を設ける構成とすることが好ましい。
【０１８６】
（ｆ）上記各実施の形態では、前扉枠１４により本体枠１３の前面側全体が覆われる構成としたが、本体枠１３の前面側の全体ではなく一部が覆われる構成としてもよい。例えば、前扉枠１４により遊技盤８１の前面部のみが覆われる構成とする。
【０１８７】
（ｇ）遊技機本体の前面側に設けられ遊技機本体から遊技機前方への開放が可能な前面扉を有する遊技機であれば、上記実施の形態とは異なる他のタイプの遊技機、例えば他の役物を備えたパチンコ機、アレンジボール機、雀球等の遊技機、スロットマシン等の回胴式遊技機や、メダルに代えて遊技球（パチンコ球）を使用する球使用タイプの回胴式遊技機にも適用できる。
【０１８８】
球使用タイプの回胴式遊技機では、外周に複数の図柄が付されたリール装置（回胴装置）、遊技者により操作されるベットスイッチやスタートレバー等の装置類、遊技球の取込を許可又は禁止すると共に順次取り込まれる遊技球をカウントするための取込装置などが設けられる。この場合、球受皿に貯留された遊技球は、整列通路部及び取込口を介して取込装置に導かれる。そして、遊技者によるベットスイッチの操作に伴い取込装置で遊技球の取込が行われ、その取り込まれた遊技球数に応じて毎回の遊技の開始（スタートレバー操作に伴うリール回転）が許容される。
【図面の簡単な説明】
【０１８９】
【図１】一実施の形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の構成を示す背面図である。
【図６】本体枠の構成を示す正面図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パックユニットの構成を示す正面図である。
【図１３】裏パックユニットの分解斜視図である。
【図１４】パチンコ機を上方から見た略図である。
【図１５】パチンコ機の電気的構成を示すブロック図である。
【図１６】別のパチンコ機を上方から見た略図である。
【図１７】別のパチンコ機を本体枠を外枠から開放させた状態で扉側部材の周辺を上方から見た略図である。
【符号の説明】
【０１９０】
１０…遊技機としてのパチンコ機、１３…遊技機本体としての本体枠、１４…前面扉としての前扉枠、５７…本体施錠装置を構成する鉤金具、６３…扉施錠装置を構成する鉤金具、８１…遊技領域としての遊技盤、８２…入球部を構成する一般入賞口、８３…入球部を構成する可変入賞装置、８４…入球部を構成する作動口、１７１…扉側取付体としての扉側部材、１７４…取付部としての孔部、１８１…取付体通路部としての貫通孔、１８３…本体側取付体としての本体側部材、１９１…規制部材としての鍵部材。
【図１】
2008220810.tif 000003
【図２】
2008220810.tif 000004
【図３】
2008220810.tif 000005
【図４】
2008220810.tif 000006
【図５】
2008220810.tif 000007
【図６】
2008220810.tif 000008
【図７】
2008220810.tif 000009
【図８】
2008220810.tif 000010
【図９】
2008220810.tif 000011
【図１０】
2008220810.tif 000012
【図１１】
2008220810.tif 000013
【図１２】
2008220810.tif 000014
【図１３】
2008220810.tif 000015
【図１４】
2008220810.tif 000016
【図１５】
2008220810.tif 000017
【図１６】
2008220810.tif 000018
【図１７】
2008220810.tif 000019